(57)【特許請求の範囲】
【請求項１】
電源電池のマイナス極に接触されるマイナス側電気接片と、前記電源電池のマイナス極に近接した周縁部のプラス極に接触されるプラス側電気接片と、前記マイナス側電気接片とプラス側電気接片との間に設けられ、これらを近接した所定間隔で保持する絶縁材料から形成した中間部材とからなり、前記プラス側電気接片は一対の腕状部を有し、各腕状部の先端部は、前記電源電池の周縁部を被っている被覆部材を破ってこの下にあるプラス極に接触するように、鋸状に形成されていることを特徴とする電池接片ユニット。
【請求項２】
前記プラス側電気接片及びマイナス側電気接片は、前記中間部材にインサート成形されていることを特徴とする請求項１記載の電池接片ユニット。
【発明の詳細な説明】
【０００１】
【産業上の利用分野】
本発明は、電池接片ユニットに関し、更に詳しくはレンズ付きフイルムユニット等に用いられる電源電池用の電気接片をユニット化した電池接片ユニットに関するものである。
【０００２】
【従来の技術】
近年、誰でも手軽に写真撮影が楽しめるように簡易な撮影機構及びストロボ装置を備えたユニット本体に予め写真フイルムを装填した低価格のレンズ付きフイルムユニット（例えば「写るんですフラッシュ」（商品名））が市販されている。このようなレンズ付きフイルムユニット用のストロボ装置は、ローコスト化を図るため、１枚のプリント基板に全てのストロボ用部品を実装してユニット化されている。
【０００３】
このストロボユニットのプリント基板は、レンズ付きフイルムユニットのユニット本体に形成された暗箱部と、写真フイルムをスクロール状にして収納するフイルムスクロール室との中間のスペースに設けられている。そして、ストロボ用の電源電池としては、例えば棒状の単３型アルカリ電池が用いられ、この電源電池はユニット本体の長手方向に平行に収納されている。これにより、電源電池の少なくとも一方の電極は、プリント基板から離れた位置になるため、この電極に接触される電気接片は、電源電池の長さと同程度，例えば約３０ｍｍ程度の長いアーム部を有している。
【０００４】
【発明が解決しようとする課題】
ところが、長いアーム部を有する電気接片は、部品コストが高くなるとともに、取扱が不便で組立適性が悪いという問題点があった。
【０００５】
本発明は、組立適性向上及びコストダウンを図った電池接片ユニットを提供することを目的とする。
【０００６】
【課題を解決するための手段】
上記目的を達成するために、請求項１記載の電池接片ユニットは、電源電池のマイナス極に接触されるマイナス側電気接片と、前記電源電池のマイナス極に近接した周縁部のプラス極に接触されるプラス側電気接片と、前記マイナス側電気接片とプラス側電気接片との間に設けられ、これらを近接した所定間隔で保持する絶縁材料から形成した中間部材とからなるものである。
【０００７】
【課題を解決するための手段】
上記目的を達成するために、本発明の電池接片ユニットは、電源電池のマイナス極に接触されるマイナス側電気接片と、前記電源電池のマイナス極に近接した周縁部のプラス極に接触されるプラス側電気接片と、前記マイナス側電気接片とプラス側電気接片との間に設けられ、これらを近接した所定間隔で保持する絶縁材料から形成した中間部材とからなり、前記プラス側電気接片は一対の腕状部を有し、各腕状部の先端部は、前記電源電池の周縁部を被っている被覆部材を破ってこの下にあるプラス極に接触するように、鋸状に形成されているものである。
【０００８】
また、プラス側電気接片及びマイナス側電気接片は中間部材にインサート成形したものである。
【００１０】
【実施例】
図２において、ストロボユニット１０のプリント基板１１には、本発明に係る電池接片ユニット１５の他、出力トランジスタ１６，整流器１７，メインコンデンサ１８，充電表示ランプ１９，ストロボ発光部２０，出力トランス２１，トリガー用トランス２２及びシンクロ接片２３ａ，２３ｂ等のストロボ部品が組み付けられている。なお、電池接片ユニット１５には、例えば単３型の電源電池２５がセットされる。電源電池２５は、一端部２５ａに設けられたマイナス極を除く全面がプラス極になっており、この全面が薄い樹脂フイルム２５ｂで被われている。また、他端部２５ｃのプラス極は周知のように凸状に突出されている。
【００１１】
図１において、電池接片ユニット１５は、電源電池２５のプラス極に接触されるプラス側電気接片２６と、マイナス極に接触されるマイナス側電気接片２７とが、所定の間隔で保持されるように、非導電性樹脂等の絶縁材料から形成された中間部材２８によりインサート成形されている。中間部材２８のプリント基板１１に取り付けられる側の面には、上下に位置決めピン２８ａ，２８ｂが一体成形されており、この中間部には、プリント基板１１の銅箔に半田付けされる電気接片２６，２７の端子２６ａ，２７ａが突出されている。マイナス側電気接片２７の中央部は、クロス状に切り欠かれ、その左右の接片２７ａ，２７ｂが斜めに折り曲げられ、電源電池２５のマイナス極に接触しやすいように、突出されている。
【００１２】
プラス側電気接片２６には、一対の腕部３１，３２が中間部材２８の輪郭から突出されるように設けられ、マイナス側電気接片２７側に折り曲げられている。この腕部３１，３２の先端部３１ａ，３２ａは、電源電池２５の樹脂フイルム２５ｂを突き刺してこの下にあるプラス極に接触されるように、鋸状の歯３１ｂ，，３２ｂを有している。この鋸状の歯３１ｂ，，３２ｂは、図３に示すように、先端部３１ａ，３２ａの幅Ｄ１  （例えば１．２ｍｍ）中に例えばそれぞれ４個ずつ設けられ、歯３１ｂ，３２ｂの幅Ｄ２  は例えば０．３ｍｍ，長さＤ３  は０．２となっている。なお、図３中の破線α１  ，α２  ，β１  ，β２  は折り曲げ線を示している。また、プラス側電気接片２６の先端部と中央部には、肉抜き開口２６ｂ，２６ｃが設けられている。
【００１３】
このように構成された電池接片ユニット１５をプリント基板１１に取り付けるには、図４（Ａ），（Ｂ）に示すように、プリント基板１１に予め開設された孔１１ａ，１１ｂ，１１ｃ及び切欠１１ｄに電池接片ユニット１５の位置決めピン２８ａ，端子２６ａ，２７ａ及び位置決めピン２８ｂを嵌入する。これにより、電池接片ユニット１５がプリント基板１１に仮止めされるから、端子２６ａ，２７ａをプリント基板１１の銅箔３５，３６に半田付けする。
【００１４】
ストロボユニット１０は、図５に示すように、レンズ付きフイルムユニット４０のユニット本体４１に形成された暗箱部４２と写真フイルムをスクロール状に収納するフイルムスクロール室４３との間のスペースにストロボ部品が収納されるように取り付けられる。暗箱部４２の下方には、電源電池２５を収納するための電池スペース４５が形成されている。ユニット本体４１にストロボユニット１０，露光ユニット４６を取り付けた後、ユニット本体４１の上に前カバーを取り付け、さらにフイルム装填工程，後カバーの装着工程を経てから、最後に電源電池２５を電池スペース４５に収納する。
【００１５】
電源電池２５の一端部２５ａを電池接片ユニット１５に押し当ててから電源電池２５を電池スペース４５側へ回動させると、電源電池２５の他端部２５ｃが三角状の爪部４５ａを乗り越えた後、壁面４５ｂに当接して電池スペース４５内に収納される。電源電池２５は、マイナス側電気接片２７の接片２７ａ，２７ｂ及び中間部材２８の弾性により壁面４５ｂ側に押しつけられ、かつ爪部４５ａがストッパとなるから、電池スペース４５から不用意に落下されることがない。
【００１６】
電源電池２５が電池スペース４５内に収納される過程で腕部３１，３２の先端部３１ａ，３２ａに電源電池２５の周縁部が摺接される。これにより、図４に示すように、先端部３１ａ，３２ａの歯３１ｂ，３２ｂが周縁部の樹脂フイルム２５ｂを突き刺し、この下にあるプラス極２５ｄ，２５ｅに接触するから、電源電池２５のプラス極，マイナス極が電池接片ユニット１５の電気接片２６，２７にそれぞれ接続される。この後、ユニット本体４１に紙箱等の外ケースを被せれば、レンズ付きフイルムユニット４０が完成される。ユーザーが図示しない充電スイッチをＯＮにすれば、プリント基板１１のストロボ回路に電源電池２５から所定電圧の電流が供給される。
【００１７】
以上説明した実施例では、プラス側電気接片の先端部を４個の歯からなる鋸状に形成したが、本発明はこの歯数に限定されないのは勿論のこと、電源電池の外面を被覆している樹脂フイルムを突き刺す、あるいは破くことができれば、鋸状でなくとも、例えば爪形状でもよい。また、電源電池を電池スペースに挿入する以前に周縁部の樹脂フイルムを切り取っておき、予めプラス極を露呈させておいてもよい。また、プラス側電気接片の先端部は、電源電池の周縁部に接触するようにしたが、腕部をやや長くして電源電池の周面部に接触するようにしてもよい。
【００１８】
【発明の効果】
以上のように、本発明の電池接片ユニットによれば、プラス側，マイナス側の各電気接片を１個の部品としてユニット化したので、材料費の削減と、ポイント半田付け（各部品を別々に半田付けすること）の不要化による組立工程の時間短縮，組立設備の削減とが達成でき、組立適性向上及びコストダウンを達成することができる。また、電源電池を電池接片ユニットにセットする際に、プラス側電気接片の先端部によって電源電池の周縁部の被覆部材を破って、この下にあるプラス極に接触されるようにしたから、電源電池のセットが容易にできるとともに、電気接片を電源電池の長さと同程度まで長くするような材料の無駄を省き、材料費の削減に寄与できる。また、プラス側電気接片及びマイナス側電気接片は中間部材にインサート成形したので、電池接片のユニット化が容易になる。
【図面の簡単な説明】
【図１】本発明に係る電池接片ユニットを示す外観斜視図である。
【図２】本発明を適用したストロボユニットの斜視図である。
【図３】腕部の先端形状を示すプラス側電気接片の展開図である。
【図４】電源電池をセットした状態を示す電池接片ユニットの側面図（Ａ）と背面図（Ｂ）である。
【図５】電源電池をレンズ付きフイルムユニットの電池スペースに挿入する状況を示す説明図である。
【符号の説明】
１０  ストロボユニット
１１  プリント基板
１５  電池接片ユニット
２５  電源電池
２５ｂ  樹脂フイルム
２６  プラス側電気接片
２７  マイナス側電気接片
２８  中間部材
３１，３２  腕部
３１ｂ，３２ｂ  歯
【図１】
0003566394.tif 000002
【図２】
0003566394.tif 000003
【図３】
0003566394.tif 000004
【図４】
0003566394.tif 000005
【図５】
0003566394.tif 000006